(57)【要約】【課題】  機種依存データの管理情報を外部メモリに記憶させて機種依存データを円滑に管理する。【解決手段】  移動機１０において、電源オン又はＵＩＭ２０の差替えが検出されると（Ｓ１）、ＵＩＭ２０に記憶された最新管理情報が読み出され（Ｓ２）、読み出された最新管理情報が自機の機種に関する情報を含み且つ当該自機の機種に関する最新管理情報が自機管理情報のバージョン情報よりも新しい情報であるか否かが判断される（Ｓ３）。ここで肯定判断されると、配信サーバ３０に対し最新の機種依存データの配信が要求され、最新の機種依存データが受信される（Ｓ４）。最新の機種依存データをもって機種依存データ記憶部１６内の機種依存データが更新され、最新の機種依存データに関するバージョン情報をもって自機管理情報記憶部１７内の自機管理情報のバージョン情報が更新される（Ｓ５）。【選択図】  図２
2006293770.tif 000002
【特許請求の範囲】
【請求項１】
内容の更新が随時行われる所定の機種依存データを記憶する機種依存データ記憶部と、自機の機種情報及び前記機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機であって、
自機の電源オン又は前記外部メモリの差替えを検出する検出部と、
前記検出部により自機の電源オン又は前記外部メモリの差替えが検出された場合、当該外部メモリに記憶された最新管理情報を読み出す読出部と、
読み出された最新管理情報と前記自機管理情報記憶部に記憶された自機管理情報とを比較することで、読み出された最新管理情報が自機の機種に関する情報を含み且つ当該自機の機種に関する最新管理情報が前記自機管理情報のバージョン情報よりも新しい情報であるか否かを判断する判断部と、
前記判断部により前記読み出された最新管理情報が自機の機種に関する情報を含み且つ当該自機の機種に関する最新管理情報が前記自機管理情報のバージョン情報よりも新しい情報であると判断された場合、前記配信サーバに対し、自機の機種についての最新の機種依存データの配信を要求し、要求に応じて配信された最新の機種依存データを受信し、受信した最新の機種依存データをもって前記機種依存データ記憶部に記憶された機種依存データを更新するとともに、当該最新の機種依存データに関するバージョン情報をもって、前記自機管理情報記憶部に記憶された自機管理情報のバージョン情報を更新する更新制御部と、
を備えた移動機。
【請求項２】
内容の更新が随時行われる所定の機種依存データを記憶する機種依存データ記憶部と、自機の機種情報及び前記機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機であって、
機種依存データを配信する配信サーバから新たな最新管理情報を受信する受信部と、
前記受信部により受信された最新管理情報と前記自機管理情報記憶部に記憶された自機管理情報とを比較することで、受信された最新管理情報が自機の機種に関する情報を含み且つ当該自機の機種に関する最新管理情報が前記自機管理情報のバージョン情報よりも新しい情報であるか否かを判断する判断部と、
前記判断部により前記受信された最新管理情報が自機の機種に関する情報を含み且つ当該自機の機種に関する最新管理情報が前記自機管理情報のバージョン情報よりも新しい情報であると判断された場合、前記配信サーバに対し、自機の機種についての最新の機種依存データの配信を要求し、要求に応じて配信された最新の機種依存データを受信し、受信した最新の機種依存データをもって前記機種依存データ記憶部に記憶された機種依存データを更新するとともに、当該最新の機種依存データに関するバージョン情報をもって、前記自機管理情報記憶部に記憶された自機管理情報のバージョン情報を更新するとともに、前記受信された最新管理情報をもって、前記外部メモリに記憶された最新管理情報を更新する更新制御部と、
を備えた移動機。
【請求項３】
内容の更新が随時行われる所定の機種依存データを記憶する機種依存データ記憶部と、自機の機種情報及び前記機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機における機種依存データ管理方法であって、
自機の電源オン又は前記外部メモリの差替えを検出する検出ステップと、
前記検出ステップにて自機の電源オン又は前記外部メモリの差替えが検出された場合、当該外部メモリに記憶された最新管理情報を読み出す読出ステップと、
読み出された最新管理情報と前記自機管理情報記憶部に記憶された自機管理情報とを比較することで、読み出された最新管理情報が自機の機種に関する情報を含み且つ当該自機の機種に関する最新管理情報が前記自機管理情報のバージョン情報よりも新しい情報であるか否かを判断する判断ステップと、
前記判断ステップにて、前記読み出された最新管理情報が自機の機種に関する情報を含み且つ当該自機の機種に関する最新管理情報が前記自機管理情報のバージョン情報よりも新しい情報であると判断された場合、前記配信サーバに対し、自機の機種についての最新の機種依存データの配信を要求し、要求に応じて配信された最新の機種依存データを受信し、受信した最新の機種依存データをもって前記機種依存データ記憶部に記憶された機種依存データを更新するとともに、当該最新の機種依存データに関するバージョン情報をもって、前記自機管理情報記憶部に記憶された自機管理情報のバージョン情報を更新する更新制御ステップと、
を有する機種依存データ管理方法。
【請求項４】
内容の更新が随時行われる所定の機種依存データを記憶する機種依存データ記憶部と、自機の機種情報及び前記機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機における機種依存データ管理方法であって、
機種依存データを配信する配信サーバから新たな最新管理情報を受信する受信ステップと、
前記受信ステップにて受信された最新管理情報と前記自機管理情報記憶部に記憶された自機管理情報とを比較することで、受信された最新管理情報が自機の機種に関する情報を含み且つ当該自機の機種に関する最新管理情報が前記自機管理情報のバージョン情報よりも新しい情報であるか否かを判断する判断ステップと、
前記判断ステップにて、前記受信された最新管理情報が自機の機種に関する情報を含み且つ当該自機の機種に関する最新管理情報が前記自機管理情報のバージョン情報よりも新しい情報であると判断された場合、前記配信サーバに対し、自機の機種についての最新の機種依存データの配信を要求し、要求に応じて配信された最新の機種依存データを受信し、受信した最新の機種依存データをもって前記機種依存データ記憶部に記憶された機種依存データを更新するとともに、当該最新の機種依存データに関するバージョン情報をもって、前記自機管理情報記憶部に記憶された自機管理情報のバージョン情報を更新するとともに、前記受信された最新管理情報をもって、前記外部メモリに記憶された最新管理情報を更新する更新制御ステップと、
を有する機種依存データ管理方法。
【請求項５】
前記更新制御ステップでは、
前記判断ステップにて、前記受信された最新管理情報が自機の機種に関する情報を含み且つ当該自機の機種に関する最新管理情報が前記自機管理情報のバージョン情報よりも新しい情報である、と判断されなかった場合、前記受信された最新管理情報が、前記外部メモリに記憶された最新管理情報よりも新しい情報又は前記外部メモリに記憶された最新管理情報に含まれない追加の情報を含むか否かを判断し、
前記受信された最新管理情報が前記新しい情報又は追加の情報を含むと判断された場合、当該受信された最新管理情報をもって前記外部メモリに記憶された最新管理情報を更新する
ことを特徴とする請求項４記載の機種依存データ管理方法。
【発明の詳細な説明】
【技術分野】
【０００１】
本発明は、移動機、及び内容の更新が随時行われる移動機の機種依存データ（例えばパターンデータなど）を管理する機種依存データ管理方法に関する。
【背景技術】
【０００２】
近年、移動機は電話機能以外に多種多様な機能を備えるようになり、モバイルコンピュータとして考えられるようになった。それに伴い、パーソナルコンピュータと同様に、コンピュータウィルスの侵入や駆除等のために移動機本体にコンピュータウィルスのパターンデータを記憶させ、そのパターンデータのバージョン情報を管理する技術が提案されている（下記の特許文献１、２参照）。
【０００３】
その一方で、加入者情報をＵＩＭ（User Identity Module）と呼ばれる外部メモリに記憶させ、例えば移動機をバージョンアップする際に、加入者が、自己の加入者情報を記憶したＵＩＭを、古い移動機から抜いて新しい移動機へ差し込むことで、自己の加入者情報を保持したまま移動機を簡単にバージョンアップ可能とするといった利用態様が知られている。
【特許文献１】特開２００３−２１６４４７号公報
【特許文献２】特開２００２−１９６９４２号公報
【発明の開示】
【発明が解決しようとする課題】
【０００４】
前述したコンピュータウィルスのパターンデータは、移動機本体の機種情報（例えば移動機のメーカ名、モデル名、移動機が備えたプラットフォーム（いわゆるＯＳやファームウェア）のバージョン）に応じて異なるいわゆる機種依存データである。
【０００５】
しかしながら、上記のような機種に依存するパターンデータの管理情報を上記ＵＩＭに記憶させてパターンデータを管理することを想定した場合、１つのＵＩＭは複数の機種の移動機に装着可能である点を考慮する必要があるため、パターンデータの管理情報をＵＩＭに記憶させてパターンデータを管理することは容易ではなく、そのような管理方法は上記の特許文献１、２にも記載されていない。
【０００６】
本発明は、上記課題を解決するために成されたものであり、機種依存データの管理情報を外部メモリに記憶させて機種依存データを円滑に管理することができる移動機及び機種依存データ管理方法を提供することを目的とする。
【課題を解決するための手段】
【０００７】
本発明に係る移動機は、内容の更新が随時行われる所定の機種依存データを記憶する機種依存データ記憶部と、自機の機種情報及び機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機であって、自機の電源オン又は外部メモリの差替えを検出する検出部と、検出部により自機の電源オン又は外部メモリの差替えが検出された場合、当該外部メモリに記憶された最新管理情報を読み出す読出部と、読み出された最新管理情報と自機管理情報記憶部に記憶された自機管理情報とを比較することで、読み出された最新管理情報が自機の機種に関する情報を含み且つ当該自機の機種に関する最新管理情報が自機管理情報のバージョン情報よりも新しい情報であるか否かを判断する判断部と、判断部により読み出された最新管理情報が自機の機種に関する情報を含み且つ当該自機の機種に関する最新管理情報が自機管理情報のバージョン情報よりも新しい情報であると判断された場合、配信サーバに対し、自機の機種についての最新の機種依存データの配信を要求し、要求に応じて配信された最新の機種依存データを受信し、受信した最新の機種依存データをもって機種依存データ記憶部に記憶された機種依存データを更新するとともに、当該最新の機種依存データに関するバージョン情報をもって、自機管理情報記憶部に記憶された自機管理情報のバージョン情報を更新する更新制御部とを備えたことを特徴とする。
【０００８】
また、本発明に係る機種依存データ管理方法は、内容の更新が随時行われる所定の機種依存データを記憶する機種依存データ記憶部と、自機の機種情報及び機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機における機種依存データ管理方法であって、自機の電源オン又は外部メモリの差替えを検出する検出ステップと、検出ステップにて自機の電源オン又は外部メモリの差替えが検出された場合、当該外部メモリに記憶された最新管理情報を読み出す読出ステップと、読み出された最新管理情報と自機管理情報記憶部に記憶された自機管理情報とを比較することで、読み出された最新管理情報が自機の機種に関する情報を含み且つ当該自機の機種に関する最新管理情報が自機管理情報のバージョン情報よりも新しい情報であるか否かを判断する判断ステップと、判断ステップにて、読み出された最新管理情報が自機の機種に関する情報を含み且つ当該自機の機種に関する最新管理情報が自機管理情報のバージョン情報よりも新しい情報であると判断された場合、配信サーバに対し、自機の機種についての最新の機種依存データの配信を要求し、要求に応じて配信された最新の機種依存データを受信し、受信した最新の機種依存データをもって機種依存データ記憶部に記憶された機種依存データを更新するとともに、当該最新の機種依存データに関するバージョン情報をもって、自機管理情報記憶部に記憶された自機管理情報のバージョン情報を更新する更新制御ステップとを有することを特徴とする。
【０００９】
なお、「自機の機種に関する情報」における「機種」とは、移動機のメーカ名、モデル名、プラットフォームのバージョンなどにより識別される移動機の種類を指す広義の概念である。
【００１０】
上記の発明では、移動機において自機の電源オン又は外部メモリの差替えが検出されると、外部メモリに記憶された最新管理情報が読み出され、読み出された最新管理情報と自機管理情報記憶部に記憶された自機管理情報とを比較することで、読み出された最新管理情報が自機の機種に関する情報を含み且つ当該自機の機種に関する最新管理情報が自機管理情報のバージョン情報よりも新しい情報であるか否かが判断される。ここで、読み出された最新管理情報が自機の機種に関する情報を含み且つ当該自機の機種に関する最新管理情報が自機管理情報のバージョン情報よりも新しい情報であると判断された場合、配信サーバに対し、自機の機種についての最新の機種依存データの配信が要求され、要求に応じて配信された最新の機種依存データが受信され、受信された最新の機種依存データをもって機種依存データ記憶部に記憶された機種依存データが更新されるとともに、当該最新の機種依存データに関するバージョン情報をもって、自機管理情報記憶部に記憶された自機管理情報のバージョン情報が更新される。
【００１１】
このような本発明によれば、電源オン又は外部メモリの差替え時に、必ず、機種依存データ記憶部に記憶された機種依存データ、及び自機管理情報のバージョン情報を最新のものにすることができる。これにより、機種依存データの管理情報を外部メモリに記憶させて、機種依存データを円滑に管理することができる。
【００１２】
本発明に係る移動機は、内容の更新が随時行われる所定の機種依存データを記憶する機種依存データ記憶部と、自機の機種情報及び機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機であって、機種依存データを配信する配信サーバから新たな最新管理情報を受信する受信部と、受信部により受信された最新管理情報と自機管理情報記憶部に記憶された自機管理情報とを比較することで、受信された最新管理情報が自機の機種に関する情報を含み且つ当該自機の機種に関する最新管理情報が自機管理情報のバージョン情報よりも新しい情報であるか否かを判断する判断部と、判断部により受信された最新管理情報が自機の機種に関する情報を含み且つ当該自機の機種に関する最新管理情報が自機管理情報のバージョン情報よりも新しい情報であると判断された場合、配信サーバに対し、自機の機種についての最新の機種依存データの配信を要求し、要求に応じて配信された最新の機種依存データを受信し、受信した最新の機種依存データをもって機種依存データ記憶部に記憶された機種依存データを更新するとともに、当該最新の機種依存データに関するバージョン情報をもって、前記自機管理情報記憶部に記憶された自機管理情報のバージョン情報を更新するとともに、前記受信された最新管理情報をもって、前記外部メモリに記憶された最新管理情報を更新する更新制御部とを備えたことを特徴とする。
【００１３】
また、本発明に係る機種依存データ管理方法は、内容の更新が随時行われる所定の機種依存データを記憶する機種依存データ記憶部と、自機の機種情報及び機種依存データ記憶部に記憶された機種依存データに関するバージョン情報から成る自機管理情報を記憶する自機管理情報記憶部とを備え、１つ以上の機種についての最新の機種依存データに関する最新管理情報を記憶するための外部メモリを着脱可能とされた移動機における機種依存データ管理方法であって、機種依存データを配信する配信サーバから新たな最新管理情報を受信する受信ステップと、受信ステップにて受信された最新管理情報と自機管理情報記憶部に記憶された自機管理情報とを比較することで、受信された最新管理情報が自機の機種に関する情報を含み且つ当該自機の機種に関する最新管理情報が自機管理情報のバージョン情報よりも新しい情報であるか否かを判断する判断ステップと、判断ステップにて、受信された最新管理情報が自機の機種に関する情報を含み且つ当該自機の機種に関する最新管理情報が自機管理情報のバージョン情報よりも新しい情報であると判断された場合、配信サーバに対し、自機の機種についての最新の機種依存データの配信を要求し、要求に応じて配信された最新の機種依存データを受信し、受信した最新の機種依存データをもって機種依存データ記憶部に記憶された機種依存データを更新するとともに、当該最新の機種依存データに関するバージョン情報をもって、前記自機管理情報記憶部に記憶された自機管理情報のバージョン情報を更新するとともに、前記受信された最新管理情報をもって、前記外部メモリに記憶された最新管理情報を更新する更新制御ステップとを有することを特徴とする。
【００１４】
上記の発明では、移動機において、配信サーバから新たな最新管理情報が受信されると、受信された最新管理情報と自機管理情報記憶部に記憶された自機管理情報とを比較することで、受信された最新管理情報が自機の機種に関する情報を含み且つ当該自機の機種に関する最新管理情報が自機管理情報のバージョン情報よりも新しい情報であるか否かが判断され、受信された最新管理情報が自機の機種に関する情報を含み且つ当該自機の機種に関する最新管理情報が自機管理情報のバージョン情報よりも新しい情報であると判断された場合、配信サーバに対し、自機の機種についての最新の機種依存データの配信が要求され、要求に応じて配信された最新の機種依存データが受信され、受信された最新の機種依存データをもって機種依存データ記憶部に記憶された機種依存データが更新されるとともに、当該最新の機種依存データに関するバージョン情報をもって、自機管理情報記憶部に記憶された自機管理情報のバージョン情報が更新されるとともに、上記受信された最新管理情報をもって、外部メモリに記憶された最新管理情報が更新される。
【００１５】
上記の発明によれば、外部メモリを装着して移動機を使用しているときでも、配信サーバからの新たな最新管理情報に基づき最新の機種依存データを自動的に受信し、機種依存データを円滑に管理することができる。
【００１６】
ところで、上記の更新制御ステップでは、判断ステップにて、受信された最新管理情報が自機の機種に関する情報を含み且つ当該自機の機種に関する最新管理情報が自機管理情報のバージョン情報よりも新しい情報である、と判断されなかった場合、受信された最新管理情報が、外部メモリに記憶された最新管理情報よりも新しい情報又は外部メモリに記憶された最新管理情報に含まれない追加の情報を含むか否かを判断し、受信された最新管理情報が新しい情報又は追加の情報を含むと判断された場合、当該受信された最新管理情報をもって外部メモリに記憶された最新管理情報を更新することが望ましい。
【００１７】
これにより、たとえ、受信された最新管理情報が自機の機種に関する、より新しい最新管理情報を含まない場合であっても、受信された最新管理情報が新しい情報又は追加の情報を含むときには、当該新しい情報又は追加の情報を、外部メモリに記憶された最新管理情報に追加することができ、外部メモリに記憶された最新管理情報における自機の機種以外の機種に関する情報を最新のものに更新することができる。
【発明の効果】
【００１８】
本発明によれば、電源オン又は外部メモリの差替え時に、必ず、機種依存データ記憶部に記憶された機種依存データ、及び自機管理情報のバージョン情報を最新のものにすることができるため、機種依存データの管理情報を外部メモリに記憶させて、機種依存データを円滑に管理することができる。また、外部メモリを装着して移動機を使用しているときでも、配信サーバからの新たな最新管理情報に基づき最新の機種依存データを自動的に受信し、機種依存データを円滑に管理することができる。
【発明を実施するための最良の形態】
【００１９】
以下、本発明に係る実施形態を説明する。
【００２０】
図１には、本実施形態の移動機１０及び関連機器の構成を示す。この図１に示す配信サーバ３０は、機種依存データ（本実施形態ではパターンデータ）を配信するサーバである。この配信サーバ３０は、さまざまな機種ごとのパターンデータファイルを格納しており、これらのパターンデータファイルを図２に示すようなテーブル形式のパターンデータファイル情報３１によって管理している。このパターンデータファイル情報３１に示すように、以下では、移動機のメーカ名、モデル名、及びプラットフォームのバージョンにより識別される機種情報ごとにパターンデータのバージョン情報を管理する例を示す。但し、機種情報は上記に限定されるものではなく、移動機のメーカ名、モデル名、及びプラットフォームのバージョンのうち一部の情報によって定めてもよいし、これら以外の情報（例えば、生産地や生産時期など）を含めた上で定めてもよい。
【００２１】
ＵＩＭ２０は、１つ以上の機種についての最新のパターンデータに関する最新管理情報（以下「ウィルス情報」という）を記憶するための外部メモリであり、ウィルス情報は図４に示すように、移動機のメーカ名、モデル名及びプラットフォームのバージョンと、これらに対応付けられたパターンデータのバージョン情報とにより構成される。
【００２２】
図１に示すように移動機１０は、通信部１１、検出部１２、読出部１３、判断部１４、更新制御部１５、機種依存データ記憶部１６、自機管理情報記憶部１７、電源部１８及び入出力インタフェース１９を含んで構成される。以下、各部の機能を概説する。
【００２３】
このうち通信部１１は、移動体通信網を介したデータや音声の送受信を行うための構成であり、本発明に係る受信部はこの通信部１１に含まれる。電源部１８は移動機１０内の各部に電力を供給し、入出力インタフェース１９は移動機１０にＵＩＭ２０を装着する際の入出力インタフェースとして機能する。
【００２４】
機種依存データ記憶部１６は、内容の更新が随時行われる機種依存データであるパターンデータを記憶したメモリであり、自機管理情報記憶部１７は、自機の機種情報と、機種依存データ記憶部１６に記憶されたパターンデータに関するバージョン情報とから成る自機管理情報を記憶したメモリである。自機管理情報は図３（ａ）に示すように、自機のメーカ名、モデル名及びプラットフォームのバージョンと、これらに対応付けられたパターンデータのバージョン情報とにより構成される。
【００２５】
検出部１２は、移動機１０の電源オン又はＵＩＭ２０の差替えを検出し、読出部１３は、検出部１２により移動機１０の電源オン又はＵＩＭ２０の差替えが検出された場合にＵＩＭ２０に記憶されたウィルス情報を読み出す。
【００２６】
詳細は後述するが、判断部１４は、最新のパターンデータの配信要求を行うべきか否かを判断する。更新制御部１５は、判断部１４による判断結果に応じて最新のパターンデータの配信を配信サーバ３０に対し要求したり、機種依存データ記憶部１６に記憶されたパターンデータ、自機管理情報記憶部１７に記憶された自機管理情報のバージョン情報、及びＵＩＭ２０に記憶されたウィルス情報のバージョン情報の更新制御を行う。
【００２７】
［本実施形態における動作説明］
以下、（１）電源オン又はＵＩＭ２０の差替えの検出時の動作（第１動作態様）と、（２）配信サーバ３０からの新たなウィルス情報が受信された時の動作（第２動作態様）を、順に説明する。
【００２８】
［第１動作態様］
図２に示すように、移動機１０において、検出部１２が電源オン又はＵＩＭ２０の差替えを検出すると（図２のＳ１）、読出部１３は、ＵＩＭ２０に記憶されたウィルス情報を読み出す（Ｓ２）。そして、判断部１４は、読み出されたウィルス情報と自機管理情報記憶部１７に記憶された自機管理情報とを比較することで、読み出されたウィルス情報が自機の機種に関する情報を含み且つ当該自機の機種に関するウィルス情報が自機管理情報のバージョン情報よりも新しい情報であるか否かを判断する（Ｓ３）。ここで、判断部１４により否定判断がなされた場合は、最新のパターンデータの配信要求を行う必要が無いため、処理を終了する。
【００２９】
一方、Ｓ３で判断部１４により肯定判断がなされた場合、更新制御部１５は、配信サーバ３０に対し、自機の機種についての最新のパターンデータの配信を要求し、要求に応じて配信された最新のパターンデータを受信する（Ｓ４）。そして、更新制御部１５は、受信した最新のパターンデータをもって機種依存データ記憶部１６に記憶されたパターンデータを更新するとともに、当該最新のパターンデータに関するバージョン情報をもって、自機管理情報記憶部１７に記憶された自機管理情報のバージョン情報を更新する（Ｓ５）。
【００３０】
例えば、図２のＳ２で読み出されたウィルス情報が図４に示すウィルス情報であり、このときの自機管理情報が図３（ａ）に示す自機管理情報であった場合、読み出されたウィルス情報は自機の機種（メーカ名：ＢＢ、モデル名：ｂｂｂ、プラットフォームのバージョン：２）に関する情報を含み且つ当該自機の機種に関するウィルス情報のパターンデータバージョン「００１」が自機管理情報のバージョン「０００」よりも新しいため、Ｓ３では肯定判断される。そして、Ｓ４では、自機の機種に関するパターンデータバージョン「００１」のパターンデータ（最新のパターンデータ）が移動機１０に配信され、Ｓ５では、当該最新のパターンデータをもって機種依存データ記憶部１６に記憶されたパターンデータが更新され、当該最新のパターンデータに関するバージョン情報「００１」をもって、自機管理情報記憶部１７に記憶された自機管理情報のバージョン情報が、図３（ａ）、（ｂ）に示すように「０００」から「００１」に更新されることとなる。
【００３１】
以上のように、電源オン又はＵＩＭ２０の差替え時に、必ず、機種依存データ記憶部１６に記憶されたパターンデータ、及び自機管理情報のバージョン情報を最新のものにすることができるため、ウィルス情報をＵＩＭ２０に記憶させてパターンデータを円滑に管理することができる。
【００３２】
［第２動作態様］
図５に示すように、配信サーバ３０が、機種（メーカ名：ＡＡ、モデル名：ａａａ、プラットフォームのバージョン：１）及び機種（メーカ名：ＢＢ、モデル名：ｂｂｂ、プラットフォームのバージョン：２）に関する最新のパターンデータ（ＩＤ：０００２）を図２に示すパターンデータファイル情報３１に登録し（図５のＰ１）、当該最新のパターンデータに関するウィルス情報（メーカ名：ＡＡ、モデル名：ａａａ、プラットフォームのバージョン：１、パターンデータバージョン：００２）とウィルス情報（メーカ名：ＢＢ、モデル名：ｂｂｂ、プラットフォームのバージョン：２、パターンデータバージョン：００１）を移動機１０に配信する（Ｐ２）。そして、移動機１０において、通信部１１が配信サーバ３０からのウィルス情報を受信すると（Ｓ１１）、判断部１４は、受信されたウィルス情報と自機管理情報記憶部１７に記憶された自機管理情報とを比較することで、受信されたウィルス情報が自機の機種に関する情報を含み且つ当該自機の機種に関するウィルス情報が自機管理情報のバージョン情報よりも新しい情報であるか否かを判断する（Ｓ１２）。
【００３３】
ここで、判断部１４により肯定判断がなされた場合、更新制御部１５は、配信サーバ３０に対し、自機の機種についての最新のパターンデータの配信を要求し、要求に応じて配信された最新のパターンデータを受信する（Ｓ１３）。そして、更新制御部１５は、受信した最新のパターンデータをもって機種依存データ記憶部１６に記憶されたパターンデータを更新するとともに、最新のパターンデータに関するバージョン情報をもって、自機管理情報記憶部１７に記憶された自機管理情報のバージョン情報を更新するとともに、Ｓ１１で受信されたウィルス情報をもって、ＵＩＭ２０に記憶されたウィルス情報を更新する（Ｓ１４）。
【００３４】
一方、Ｓ１２で判断部１４により否定判断がなされた場合は、更新制御部１５は、受信されたウィルス情報が、ＵＩＭ２０に記憶されたウィルス情報よりも新しい情報又はＵＩＭ２０に記憶されたウィルス情報に含まれない追加の情報を含むか否かを判断する（Ｓ１５）。ここで、否定判断された場合は、ＵＩＭ２０に記憶されたウィルス情報を更新する必要は無いため、処理を終了する。一方、Ｓ１５で肯定判断された場合、更新制御部１５は、受信されたウィルス情報をもってＵＩＭ２０に記憶されたウィルス情報を更新する（Ｓ１６）。
【００３５】
例えば、図５のＳ１１で受信されたウィルス情報が、ウィルス情報（メーカ名：ＡＡ、モデル名：ａａａ、プラットフォームのバージョン：１、パターンデータバージョン：００２）及びウィルス情報（メーカ名：ＢＢ、モデル名：ｂｂｂ、プラットフォームのバージョン：２、パターンデータバージョン：００１）であり、このときの自機管理情報が図６（ａ）に示す自機管理情報であった場合、受信されたウィルス情報は自機の機種（メーカ名：ＡＡ、モデル名：ａａａ、プラットフォームのバージョン：１）に関する情報を含み且つ当該自機の機種に関するウィルス情報のパターンデータバージョン「００２」が自機管理情報のバージョン「００１」よりも新しいため、Ｓ１２では肯定判断される。
【００３６】
そして、Ｓ１３では、自機の機種に関するパターンデータバージョン「００２」のパターンデータ（最新のパターンデータ）が移動機１０に配信され、Ｓ１４では、最新のパターンデータをもって機種依存データ記憶部１６に記憶されたパターンデータが更新され、自機の機種に関する最新のパターンデータのバージョン情報「００２」をもって、自機管理情報記憶部１７に記憶された自機管理情報のバージョン情報が、図６（ａ）、（ｂ）に示すように「００１」から「００２」に更新される。また、Ｓ１４では、ＵＩＭ２０に記憶されたウィルス情報のバージョン情報が、Ｓ１１で受信されたウィルス情報により更新される。これにより、更新前に図７（ａ）の状態であったウィルス情報は、図７（ｂ）のように更新される。具体的には、機種（メーカ名：ＡＡ、モデル名：ａａａ、プラットフォームのバージョン：１）に関するウィルス情報では、バージョンが「００１」から「００２」に更新され、また、機種（メーカ名：ＢＢ、モデル名：ｂｂｂ、プラットフォームのバージョン：２）に関するウィルス情報が新規に追加される。
【００３７】
以上のように、ＵＩＭ２０を装着して移動機１０を使用しているときでも、配信サーバ３０からの新たなウィルス情報に基づき最新のパターンデータを自動的に受信し、パターンデータを円滑に管理することができる。
【００３８】
また、図５のＳ１２で否定判断された場合でも、Ｓ１５にて、受信されたウィルス情報が、ＵＩＭ２０に記憶されたウィルス情報よりも新しい情報又はＵＩＭ２０に記憶されたウィルス情報に含まれない追加の情報を含むと判断されれば、当該受信されたウィルス情報をもって、ＵＩＭ２０に記憶されたウィルス情報を更新するため、たとえ、受信されたウィルス情報が自機の機種に関する新しいウィルス情報を含まない場合であっても、受信されたウィルス情報が含む新しい情報又は追加の情報を、ＵＩＭ２０に記憶されたウィルス情報に追加することができ、ＵＩＭ２０に記憶されたウィルス情報における自機の機種以外の機種に関する情報を最新のものに更新することができる、という利点がある。
【００３９】
なお、上記の実施形態では、移動機の機種をメーカ名とモデル名とプラットフォームのバージョンとで識別し、図２のＳ３、図５のＳ１２の判断処理ではメーカ名、モデル名、プラットフォームのバージョンの各々の完全一致を判断する例を示したが、完全一致以外に、例えば、ワイルドカードを用いてモデル名「ａａ＊」とし、「ａａ」で始まるモデル名であれば該当するような条件設定を行ってもよい。
【００４０】
また、ＵＩＭ２０の記憶容量には上限があるため、ＵＩＭ２０にウィルス情報を記憶する場合、ＵＩＭ２０の記憶領域の使用量が所定値（例えばＵＩＭ２０の全記憶容量の９０％）を超えたときには、古いウィルス情報から順に上書き削除するよう制御してもよい。
【００４１】
また、上記実施形態では、機種依存データとしてパターンデータの例を説明したが、本発明は、パターンデータ以外にも、内容の更新が随時行われ移動機の機種に依存するようなさまざまなデータに対し適用可能である。
【図面の簡単な説明】
【００４２】
【図１】発明の実施形態に係る移動機及び関連機器の構成を示す機能ブロック図である。
【図２】第１動作態様の処理動作を示す流れ図である。
【図３】第１動作態様における移動機の自機管理情報の内容及びその遷移を説明するための図である。
【図４】第１動作態様におけるＵＩＭに記憶されたウィルス情報の内容を示す図である。
【図５】第２動作態様の処理動作を示す流れ図である。
【図６】第２動作態様における移動機の自機管理情報の内容及びその遷移を説明するための図である。
【図７】第２動作態様におけるＵＩＭに記憶されたウィルス情報の内容及びその遷移を説明するための図である。
【符号の説明】
【００４３】
１０…移動機、１１…通信部、１２…検出部、１３…読出部、１４…判断部、１５…更新制御部、１６…機種依存データ記憶部、１７…自機管理情報記憶部、１８…電源部、１９…入出力インタフェース、２０…ＵＩＭ（外部メモリ）、３０…配信サーバ、３１…パターンデータファイル情報。
【図１】
2006293770.tif 000003
【図２】
2006293770.tif 000004
【図３】
2006293770.tif 000005
【図４】
2006293770.tif 000006
【図５】
2006293770.tif 000007
【図６】
2006293770.tif 000008
【図７】
2006293770.tif 000009